(57)【要約】【課題】  言語や聴覚が不自由になり、言葉を発声することが困難となった高齢者や身体障がい者が介護を受けるときや日常の生活で自分の意思を伝えることが出来ない。【解決手段】  意思表示介護シート及び意思表示介護本は見て、すぐ判るように各項目別に色分けし、生活をするなかで必要な言葉を集め、色と共感覚の作用を利用し、言葉と色を併用させてあり被介護人が伝えたい言葉を指でさし示すことで素早く簡単に介護人に伝えることができる。そして本という形なので、値段も手頃で持ち歩きにも負担にならず、いつでも、どこでも、だれでも簡単に使用することが出来る。【選択図】  図２
2010096877.tif 000002
【特許請求の範囲】
【請求項１】
日常必要な言葉である味覚を表現する言葉、感触を表現する言葉、又は感情を表現する言葉を記載した色のついたハート形、ひし形、三角形、丸形、星形、又は四角形のいずれかの１つを少し大きめの色のついた正方形の上に置き、この正方形をシート上に複数配置したことを特徴とする意思表示介護シート。
【請求項２】
ハート形、ひし形、三角形、丸形、星形、又は四角形と、正方形の色は人間が感じる共感色であることを特徴とする請求項１に記載の意思表示介護シート。
【請求項３】
請求項１又は請求項２に記載の意思表示介護シートを複数枚重ね合わせたことを特徴とする意思表示介護本。
【発明の詳細な説明】
【発明の開示】
【発明が解決しようとする課題】
【０００１】
突然言語や聴覚が不自由となった高齢者や身体障がい者は手話や点字という方法もなく、筆談や手振り身振りで介護人に意思表示をするか、あるいは介護人が被介護人の口元を見て適当に判断しているが、うまく伝わらないことが多く、意思を汲み取るまでに時間もかかるし、お互いのエネルギーが消耗されてしまう。
【課題を解決するための手段】
【０００２】
本発明は、日常必要な言葉である味覚を表現する言葉、感触を表現する言葉、又は感情を表現する言葉を記載した、色のついたハート形、ひし形、三角形、丸形、星形、又は四角形の何れかの１つを少し大きめの色のついた正方形の上に置き、この正方形をシート上に複数配置したことを特徴とする意思表示介護シートである。
又、ハート形、ひし形、三角形、丸形、星形、又は四角形と、正方形の色は、人間が感じる共感色であることを特徴とする意思表示介護シートである。
又、意思表示介護シートを複数枚重ね合わせたことを特徴とする意思表示介護本である。
【発明の効果】
【０００３】
脳梗塞や認知症で言葉を発声することが困難となり介護人を必要になった時、被介護人は自分の意思がうまく伝わらなかったり、伝えるのに時間がかかったりすることによって、不安と孤独感から寝たきりの状態にもなりかねない。
【０００４】
意思表示介護シート及び意思表示介護本は、被介護人が自分の伝えたい言葉を本の中から選び指でさし示すことによって介護人に瞬時に伝えることができ、従来の筆談や手振り身振りでは時間もかかりお互いストレスを溜めてしまうが、意思表示介護シート及び意思表示介護本を使うことによって簡単に意思の疎通が図れる。
【０００５】
記載の色使いは、人間の感じる共感覚の作用と効果を利用している。例えば「色と味覚の共感覚」には主に「辛い」「熱い」に赤色を「甘い」「おいしい」にピンク色を「すっぱい」を黄色、黄緑色で表現している。これは人間が食べ物や味覚に対する固有色及び記憶色であり、また黄色、赤色等は消化器系統を刺激し、これらの色を見ることによって食欲を促す作用がある色である。
「色と感情の共感覚」には、主に喜びに関する言葉に黄色、橙色、ピンク色などで表現しているが、これらの色には体内ではアドレナリンの分泌が増し、気分の活性と解放感を促す作用がある色である。「体の調子」では主に「いたい」「だるい」「疲れた」等を紫色で表現しているが、紫色には、自律神経を整える作用がある色である。
色から記憶を呼び起こさせることによって、文字を忘れても色だけで選び指でさし示し介護人に伝えることが出来る。
又、各シートの色はパステルカラーで各項目の意味に合ったメッセージをもった色を使っている。
【０００６】
意思表示介護シート及び意思表示介護本の片面A4サイズの大きさは持ち運びに負担のない大きさである。中の意思表示の色と会話の文字の大きさも被介護人の高齢者や身体障がい者にも見やすく、ほとんどの文字は読みやすい、ひらがなを使い瞬時に判るようにすると共に短い言葉を使用する。また色は加齢と共に生じる白内障や老眼にも負担のないグレア（まぶしさ）を抑えた色質や、大きな文字を使用している。
【発明を実施するための最良の形態】
【０００７】
日常必要な言葉である味覚を表現する言葉、感触を表現する言葉、又は感情を表現する言葉を、人間が感じる共感色のついたハート形、ひし形、三角形、丸形、星形、又は四角形のシートに記載する。このシートを少し大きめの人間が感じる共感色のついた正方形の上に置き、この正方形をシート上に複数配置した意思表示介護シートを製作する。又この意思表示介護シートを複数枚重ね合わせ意思表示介護本を製作する。
【０００８】
意思表示介護シート及び意思表示介護本は常に被介護人の傍に置きすぐ使えるようにしておく、そしてまた訪問介護福祉士やヘルパーその他の介護人が携帯し、言葉を発声することが困難となった被介護人との意思の伝達として用いる。例えば被介護人が食事中であれば、この本の中の符号C1、C2の「食事中、味覚」のページを開いておく、また体の調子を伝える時は、符号E1、E2の「体の調子」のページを開き伝えたい言葉を指でさし示す。
【実施例】
【０００９】
図１〜図７を用いて実施例の説明をする。A4サイズのシート１４枚を縦長に綴じた意思表示介護本の見開き頁を表した図である。
【００１０】
図１は、温度に関する言葉を集めた見開き頁である。
符号A１、A２は薄いブルー色のシートで、A１のシートの上に青色の正方形 a１の上にピンク色のハート形 a１．１を置き「窓をあけて」の言葉を書き、ブルー色の正方形 a２の上に黄緑色のハート形 a２．１を置き「ぬぐ」の言葉を書き、黄緑色の正方形 a３の上にブルー色のハート形 a３．１を置き「着がえる」の言葉を書き、橙色の正方形 a４の上にピンク色のハート形 a４．１を「窓をしめて」の言葉を書き、A２のシートの上に濃い赤色の正方形a５の上に赤色のハート形a５．１を置き「暑い」の言葉を書き、薄い黄緑色の正方形 a６の上にピンク色のハート形 a６．１を置き「ちょうどいい」の言葉を書き、濃い青色の正方形 a７の上にブルー色のハート形 a７．１を置き「寒い」の言葉を書いたものである。
【００１１】
図２は、気分を伝える言葉を集めた見開き頁である。
符号B１、B２は淡い黄色のシートで、B１のシートの上に茶色の正方形 b１の上に濃い黄色の三角形 b１．１を置き「のどがかわいた」の言葉を書き、黄緑色の正方形 b２の上に濃い緑色のハート形 b２．１を置き「お茶がのみたい」の言葉を書き、ブルー色の正方形 b３の上に白色の四角形 b３．１を置き「水がのみたい」の言葉を書き、濃い黄色の正方形 b４の上にブルー色のハート形 b４．１を置き「お薬をのむ」の言葉を書き、B ２のシートの上に赤色の正方形 b５の上に橙色のハート形 b５．１を置き「食事をする」の言葉を書き、緑色の正方形 b６の上に赤色のハート形 b６．１を置き「食欲がある」の言葉を書き、薄茶色の正方形 b７の上に薄紫色のハート形 b７．１を置き「食欲がない」の言葉を書き、茶色の正方形 b８の上に青色の三角形 b８．１を置き「後でたべる」の言葉を書いたものである。
【００１２】
図３は、食事中、味覚に関する言葉を集めた見開き頁である。
符号C１、C２は薄い橙色のシートでC１のシートの上に白色の正方形 c１の上にピンク色のハート形c１．１を置き「甘い」の言葉を書き、茶色の正方形 c２の上に赤色のハート形 c２．１を置き「辛い」の言葉を書き、薄茶色の正方形 c３の上に赤色のハート形 c３．１を置き「熱い」の言葉を書き、黄緑色の正方形 c４の上に黄色のハート形c４．１を置き「すっぱい」の言葉を書き、C ２のシートの上にピンク色の正方形 c５の上に薄いピンク色のハート形 c５．１を置き「おいしい」の言葉を書き、茶色の正方形 c６の上に灰色のひし形 c６．１を置き「苦い」の言葉を書き、茶色の正方形 c７の上に濃い青色の三角形 c７．１を置き「かたい」の言葉を書き、茶色の正方形 c８の上に薄紫色のハート形 c８．１を置き「まずい」の言葉を書いたものである。
【００１３】
図４は、感情、気持ちに関する言葉を集めた見開き頁である。
符号D 1、D ２は薄いピンク色のシートでD 1のシートの上に濃いピンク色の正方形 d１の上に薄いピンク色のハート形 d１．１を置き「ありがとう」の言葉を書き、緑色の正方形 d２の上に黄緑色のハート形 d２．１を置き「気分が良い」の言葉を書き、薄紫色の正方形 d３の上に濃い灰色のハート形 d ３．１を置き「憂うつ」の言葉を書き、ピンク色の正方形 d４の上に薄いピンク色のハート形 d４．１を置き「やさしいね」の言葉を書き、D ２のシートの上に濃いピンク色の正方形 d５の上に薄いピンク色のハート形d５．１を置き「嬉しい」の言葉を書き、黄色の正方形 d６の上に濃い黄色のハート形d６．１を置き「楽しい」の言葉を書き、薄い灰色の正方形 d７の上に紫色の星形d７．１を置き「イライラする」の言葉を書いたものである。
【００１４】
図５は、体の調子に関する言葉を集めた見開き頁である。
符号E １、E ２は淡い緑色のシートでE １のシートの上に赤色の正方形 e１の上に茶色の四角形 e１．１を置き「熱がある」の言葉を書き、黒色の正方形 e２の上に赤色の星形 e２．１を置き、「怒り」の言葉を書き、茶色の正方形 e３の上に紫色の丸形 e３．１を置き「だるい」の言葉を書き、紫色の正方形 e４の上に赤色の星形 e４．１を置き「かゆい」の言葉を書き、E ２のシートの上に濃い青色の正方形 e５の上に紫色の三角形e５．１を置き「頭がいたい」の言葉を書き、黒色の正方形 e６の上に濃い紫色のひし形e６．１を置き「疲れた」の言葉を書き、濃い橙色の正方形 e７の上に濃い青色の三角形e７．１を置き「腹痛」の言葉を書き、橙色の正方形 e８の上に濃い橙色のハート形e８．１を置き「元気」の言葉を書いたものである。
【００１５】
図６は、体の訴え、行動に関する言葉を集めた見開き頁である。
符号F １、F ２は薄い赤色のシートでF １のシートの上に橙色の正方形 f １の上に赤色の三角形 f１．１を置き「起きる」の言葉を書き、黄緑色の正方形 f ２の上にブルー色のハート形 f ２．１を置き「口・歯を洗う」の言葉を書き、ブルー色の正方形 f ３の上に黄緑色のハート形 f ３．１を置き「顔・手を洗う」の言葉を書き、灰色の正方形 f ４の上にブルー色の丸形 f ４．１を置き「ねる」の言葉を書き、F ２のシートの上に茶色の正方形 f ５の上に薄紫色の四角形 f ５．１を置き「気持ち悪い」の言葉を書き、薄い青色の正方形 f ６の上に濃い青色の四角形 f ６．１を置き「汗かいた」の言葉を書き、橙色の正方形 f ７の上に濃い灰色の三角形 f ７．１を置き「オムツかえて」の言葉を書き、橙色の正方形 f ８の上に青色の三角形 f ８．１を置き「トイレに行きたい」の言葉を書いたものである。
【００１６】
図７は、部屋の中での頼み事に関する言葉を集めた見開き頁である。
符号 G １、G ２は淡い緑色のシートで G１のシートの上に紫色の正方形 g１の上に薄いブルー色のハート形 g１．１を置き「新聞を読む」の言葉を書き、橙色の正方形 g２の上に黄色のハート形 g２．１を置き「話をしよう」の言葉を書き、薄紫色の正方形 g３の上に暗い橙色のハート形g３．１を置き「聞こえない」の言葉を書き、濃い青色の正方形 g ４の上に暗い薄紫色のハート形 g ４．１を置き「見えにくい」の言葉を書き、G ２のシートの上に薄い橙色の正方形 g ５の上に橙色のハート形 g ５．１を置き「テレビをつけて」の言葉を書き、淡い紫色の正方形 g ６の上に紫色のハート形 g ６．１を置き「テレビを消して」の言葉を書き、黄色の正方形 g ７の上にブルー色の丸形 g ７．１を置き「音楽をつけて」の言葉を書き、薄紫色の正方形 g ８の上にピンク色のハート形 g ８．１を置き「チャンネルをかえて」の言葉を書いたものである。
【図面の簡単な説明】
【００１７】
【図１】温度に関する言葉を集めた見開き頁の図である。
【図２】気分を伝える言葉を集めた見開き頁の図である。
【図３】食事中、味覚に関する言葉を集めた見開き頁の図である。
【図４】感情、気持ちに関する言葉を集めた見開き頁の図である。
【図５】体の調子に関する言葉を集めた見開き頁の図である。
【図６】体の訴え、行動に関する言葉を集めた見開き頁の図である。
【図７】部屋の中での頼み事に関する言葉を集めた見開き頁の図である。
【符号の説明】
【００１８】
シート      A １〜G ２
正方形      a １〜g ８
ハート形
a １．１〜a７．１      
b ２．１〜ｂ ７．１
c １．１〜c ５．１    c ８．１
d １．１〜d ６．１
e ８．１
f ２．１〜ｆ ３．１
g １．１〜g ６．１    g ８．１
三角形  
b １．１    b ８．１  
c ７．１
e ５．１    e ７．１
f １．１    f ７．１〜f ８．１
四角形  
e ６．１  
f ５．１      
ひし形  
c ６．１
e ６．１
f  ６．１
星形  
d ７．１
e ２．１    e ４．１
丸形  
e ３．１
g ７．１ 
【図１】
2010096877.tif 000003
【図２】
2010096877.tif 000004
【図３】
2010096877.tif 000005
【図４】
2010096877.tif 000006
【図５】
2010096877.tif 000007
【図６】
2010096877.tif 000008
【図７】
2010096877.tif 000009
【手続補正書】
【提出日】平成21年3月16日(2009.3.16)
【手続補正１】
【補正対象書類名】特許請求の範囲
【補正対象項目名】全文
【補正方法】変更
【補正の内容】
【特許請求の範囲】
【請求項１】
日常必要な言葉である味覚を表現する言葉、感覚を表現する言葉、又は感情を表現する言葉を記載した共感色のついたハート形、三角形、丸形、星形、又は四角形のいずれかの１つを、前記ハート形、三角形、丸形、星形、ひし形、四角形より少し大きめの共感色のついた正方形の上に置き、この正方形をシート上に複数配置したことを特徴とする意思表示介護シート。
【請求項２】
請求項１に記載の意思表示介護シートを複数枚重ね合わせたことを特徴とする意思表示介護本。
【手続補正２】
【補正対象書類名】明細書
【補正対象項目名】０００２
【補正方法】変更
【補正の内容】
【０００２】
本発明は、日常必要な言葉である味覚を表現する言葉、感覚を表現する言葉、又は感情を表現する言葉を記載した共感色のついたハート形、三角形、丸形、ひし形、星形、又は四角形のいずれかの１つを、前記ハート形、三角形、丸形、ひし形、星形、四角形より少し大きめの共感色のついた正方形の上に置き、この正方形をシート上に複数配置したことを特徴とする意思表示介護シートである。
又  意思表示介護シートを複数枚重ね合わせたことを特徴とする意思表示介護本である。
【手続補正３】
【補正対象書類名】明細書
【補正対象項目名】０００７
【補正方法】変更
【補正の内容】
【０００７】
日常必要な言葉である味覚を表現する言葉、感覚を表現する言葉、又は感情を表現する言葉を人間が感じる共感色のついたハート形、三角形、丸形、星形、又は四角形のシートに記載する。このシートを前記ハート形、三角形、丸形、星形、ひし形、四角形より少し大きめの人間が感じる共感色のついた正方形の上に置き、この正方形をシート上に複数配置した意思表示介護シートを製作する。又この意思表示介護シートを複数枚重ね合わせ意思表示介護本を製作する。